(57)【特許請求の範囲】
【請求項１】
複数の配管が接続した貯湯缶体と、前記貯湯缶体を収納する外装体と、前記貯湯缶体外郭に沿った形状の缶体用窪部を有し、この缶体用窪部を前記貯湯缶体に密着して前記貯湯缶体外郭を囲繞する複数の成型断熱材とを備え、前記複数の成型断熱材は、少なくとも底部断熱材と天部断熱材と前面断熱材と背面断熱材の４つに分割構成され、前面断熱材と背面断熱材とは、天部断熱材との嵌合凹凸で位置決めされることを特徴とする貯湯タンク。
【発明の詳細な説明】
【０００１】
【発明の属する技術分野】
本発明は、電気温水器やヒーポン給湯機などの貯湯式給湯機の貯湯タンクの断熱構造に関する。
【０００２】
【従来の技術】
従来よりこの種の貯湯式給湯装置の貯湯タンクに於いては、ヒートポンプ等の外部加熱手段により加熱した温水を貯めるかあるいは内部の電熱ヒータで水を加熱し温水にして貯める貯湯缶体の保温・断熱を目的として、例えば特開平７−２４３７０５号公報等に開示されているように、貯湯缶体自体にグラスウールなどの面状の断熱材を機械または人手により巻き付けていた。
【０００３】
【発明が解決しようとする課題】
しかし、この従来のもののように貯湯缶体に断熱材を巻き付けるものでは、専用の設備機械が必要か、または大型の貯湯缶体では断熱材の巻き付けるのに作業者一人では効率的に作業することができず製造組立時の工数がかかりコスト高であると共に、断熱材を巻き付けて固定してしまうと貯湯タンク設置後のメンテナンスを行う際の断熱材の脱着作業性が悪いという問題があった。
【０００４】
また、従来は貯湯缶体へ出入りする温水または水の配管の保温・断熱を行うため、貯湯缶体に巻き付けた断熱材とは別にこれら配管に断熱材を直接巻き付けていたものであって、製造組立時の工数がかかりコスト高で、かつメンテナンス時の脱着作業性が悪いという問題があった。
【０００５】
【問題点を解決するための手段】
そこで、本発明は前記課題を解決するため、複数の配管が接続した貯湯缶体と、前記貯湯缶体を収納する外装体と、前記貯湯缶体外郭に沿った形状の缶体用窪部を有し、この缶体用窪部を前記貯湯缶体に密着して前記貯湯缶体外郭を囲繞する複数の成型断熱材とを備え、前記複数の成型断熱材は、少なくとも底部断熱材と天部断熱材と前面断熱材と背面断熱材の４つに分割構成され、前面断熱材と背面断熱材とは、天部断熱材との嵌合凹凸で位置決めされるようにした。
【０００６】
これにより、製造組立時にはこの複数の成型断熱材を適切な位置にはめ込むように取り付けるだけで貯湯缶体の外郭に成型断熱材の缶体用窪部が密着して貯湯缶体の保温・断熱性が向上し、製造組立の工数がかからず効率的な作業を行うことができコストを抑えることができると共に、メンテナンス時の脱着作業も非常に容易になり作業性が向上するものである。
更に垂直方向の分割面の隙間を底部断熱材と天部断熱材で塞いで温度差による空気の自然対流による放熱を防ぎ、脱着作業性よくコスト安に保温・断熱性能を向上することができる。
【００１５】
【発明の実施の形態】
次に、本発明の一実施形態を図面に基づいて説明する。
１は温水を貯湯する貯湯タンク、２はヒートポンプ式の加熱器で、加熱器２で加熱した温水を貯湯タンク１に貯湯し、給湯要求があった時に給湯栓３から給湯するものである。
【００１６】
次に、前記貯湯タンク１について図２の分解斜視図に基づいて説明すると、４は第一貯湯缶体、５は第二２貯湯缶体、６は第一貯湯缶体４を支える第一缶体支持脚、７は第二貯湯缶体５を支える第二缶体支持脚、８は第二貯湯缶体５下部に接続された給水管、９は第一貯湯缶体４上部と第二貯湯缶体５下部とを接続する缶体接続管、１０は第一貯湯缶体４上部と給湯栓３を接続する給湯管、１１は第二貯湯缶体５下部と加熱器２の流入側を接続する加熱器往管、１２は第一貯湯缶体４上部と加熱器２の流出側を接続する加熱器復管であり、給水管８から給水され第一貯湯缶体４と第二貯湯缶体５に貯められた水は、循環ポンプ（図示せず）の駆動により第二貯湯缶体５下部の加熱器往管１１を流れて加熱器２に流入し、高温に加熱された後に加熱器復管１２を流れて第一貯湯缶体４の上部から徐々に貯湯され、そして給湯栓３が開かれれば給水圧により第一貯湯缶体４の上部に貯められた温水が第一貯湯缶体４の上部の給湯管１０を流れて給湯栓３から給湯されるものである。
【００１７】
１３は第一貯湯缶体４及び第二貯湯缶体５の外郭のほぼ全面を覆い保温・断熱を行う耐熱性発泡ポリスチレンを成型加工した複数の成型断熱材で、底部断熱材１３１、前下部断熱材１３２、前上左部断熱材１３３、前上右部断熱材１３４、後部断熱材１３５、天部断熱材１３６より分割構成され、それぞれ第一貯湯缶体４及び第二貯湯缶体５に接する部分には第一貯湯缶体４および第二貯湯缶体５の外郭に沿った形状の缶体用窪部１４を有しており、これらの缶体用窪部１４を第一貯湯缶体４及び第二貯湯缶体５の外郭に密着し、それぞれ隣り合う成型断熱材１３同士が互いに接する面を密着して取り付けられるものである。
【００１８】
このように貯湯缶体４、５を複数の成型断熱材１３で覆って保温・断熱を行うようにしたので、製造組立時にはこの複数の成型断熱材１３を適切な位置にはめ込むように取り付けるだけで良く、効率的な作業を行うことができ製造組立の工数がかからずコストを抑えることができると共に、メンテナンス時の脱着作業も非常に容易になり作業性が向上するものである。
【００１９】
また、複数の成型断熱材１３のそれぞれ互いに接する面にはそれぞれ位置決め用の嵌合凹凸部１５を設けているので、複数の成型断熱材１３の位置決めが正確になると共に、複数の成型断熱材１３相互の密着度も高くなり複数の成型断熱材１３間の隙間を空気が流動することによる放熱を防ぐことができ、特に前上左部断熱材１３３と前上右部断熱材１３４と後部断熱材１３５の上面と、天部断熱材１３６の底面を嵌合凹凸１５によって確実に密着させたことによって、垂直方向の分割面（前上左部断熱材１３３と前上右部断熱材１３４と後部断熱材１３５の互いに接する面）および水平方向の分割面（前上左部断熱材１３３と前上右部断熱材１３４と後部断熱材１３５の上面と、天部断熱材１３６の底面の接する面）の隙間の発生を確実に防ぎこの隙間や缶体用窪部１４から温度差により対流が発生して空気が流動して放熱してしまうのを確実に防止することができ、保温・断熱性能が大きく向上する。
【００２０】
また、前記複数の成型断熱材１３の互いに接する面に前記第一貯湯缶体４及び第二貯湯缶体５に接続された給水管８、給湯管１０等の複数の配管を収める配管用溝部１６を設けてこれら配管の保温・断熱を行っており、具体的に説明すると、前記底部断熱材１３１には、その前下部断熱材１３２または後部断熱材１３５に接する上面に前記第二貯湯缶体５の下部に接続された給水管８と加熱器往管１１と第一貯湯缶体４下部に接続された缶体接続管９が収められる複数の配管用溝部１６が設けられ、前記後部断熱材１３５には、その前上左部断熱材１３３または前上右部断熱材１３４に接する面に第一貯湯缶体４と第二貯湯缶体５とを連通する缶体連通管９および第一貯湯缶体４上部に接続された加熱器復管１２が収められる複数の配管用溝部１６が設けられ、前記天部断熱材１３６には、第一貯湯缶体４と第二貯湯缶体５とを連通する缶体連通管９と第一貯湯缶体４上部に接続された給湯管１０が収められる複数の配管用溝部１６が設けられている。
【００２１】
これにより、貯湯缶体４、５を保温・断熱するための複数の成型断熱材１３を適切な位置にはめ込むように取り付けるだけで、貯湯缶体４、５の保温・断熱だけでなく、それぞれの貯湯缶体４、５に接続された複数の配管８、９、１０、１１、１２も複数の成型断熱材１３の互いに接する面に設けられた配管用溝部１６にそれぞれはまり込んで収められて保温・断熱が行われるため、配管専用の断熱材が必要なくなると共に脱着作業も容易で作業性が良く製造組立時の工数も減りかつメンテナンス時の作業性も大幅に向上し、配管の保温・断熱にかかるコストを大幅に下げることができる。
【００２２】
１７は底板１７１、前板１７２、後板１７３、天板１７４から構成された貯湯タンク１の外装体である。
【００２３】
この外装体１７の内面には前記複数の成型断熱材１３の外面の少なくとも一部が当接しており、外装体１７をしっかりと組み付けることにより前記複数の成型断熱材１３が内側に押しつけられて互いに接する面がより密着して保温・断熱性能が向上すると共に、缶体支持脚６、７にかかる貯湯缶体４、５の荷重の一部を支え、外装体１７内部での貯湯缶体４、５の傾き・転倒防止を行う。
【００２４】
尚、ここで前記複数の成型断熱材１３は、少なくとも底部断熱材と天部断熱材と前面断熱材と背面断熱材の４つに分割構成されていれば、脱着作業性よくコスト安に保温・断熱性能を向上することができるもので、メンテナンス時に取り外すことの多い前面断熱材をさらに上下に分割することで、さらにメンテナンス性を向上することができるものである。
【００２５】
図４は前記複数の成型断熱材１３の他の一実施形態で、成型断熱材１３の外周の一部を貯湯缶体４または５に接する缶体用窪部１４から一定厚さを残して肉抜きし、肉抜きしていない外周の一部を外装体１７内面に当接するようにしたものである。こうすることによって外装体１７をしっかりと組み付けることにより前記複数の成型断熱材１３が内側に押しつけられて互いに接する面がより密着して保温・断熱性能が向上すると共に、外装体１７内部での貯湯缶体４、５の傾き・転倒防止を行い、かつ耐熱性発泡ポリスチレンの材料コストを抑えて、さらなるコストダウンが計られる。
【００２６】
尚、本発明はこの一実施形態に限られることなく、その要旨を変更しない範囲で他の実施形態に適用可能であるもので、例えば、ヒートポンプ式加熱器ではなく貯湯缶体内部に設けた電熱ヒータによって温水を作るものでも良く、また、貯湯缶体も一つでも良い。また、外装体を円筒型にしたものでも成型断熱材の外周を円筒型の外装体に沿った形にすれば良いものである。
【００２７】
【発明の効果】
以上のように、請求項１に記載の発明によれば、優れた保温・断熱効果を有していながらも製造組立の工数がかからず効率的な作業を行うことができコストを抑えることができると共に、メンテナンス時の脱着作業も非常に容易になり作業性が向上する。
更に垂直方向の分割面の隙間を底部断熱材と天部断熱材で塞いで温度差による空気の自然対流による放熱を防ぎ、脱着作業性よくコスト安に保温・断熱性能を向上することができる。
【図面の簡単な説明】
【図１】本発明の一実施形態の貯湯式給湯機の概略構成図。
【図２】同一実施形態の貯湯タンクの分解斜視図。
【図３】同一実施形態の貯湯タンクの要部断面図。
【図４】本発明の他の一実施形態の成型断熱材の斜視図。
【符号の説明】
１  貯湯タンク
４  第一貯湯缶体（貯湯缶体）
５  第二貯湯缶体（貯湯缶体）
８  給水管（配管）
９  缶体接続管（配管）
１０  給湯管（配管）
１１  加熱器往管（配管）
１２  加熱器復管（配管）
１３１  底部断熱材（成型断熱材）
１３２  前下部断熱材（成型断熱材）
１３３  前上左部断熱材（成型断熱材）
１３４  前上右部断熱材（成型断熱材）
１３５  後部断熱材（成型断熱材）
１３６  天部断熱材（成型断熱材）
１４  缶体用窪部
１５  嵌合凹凸部
１６  配管用溝部
１７  外装体
【図１】
0003561239.tif 000002
【図２】
0003561239.tif 000003
【図３】
0003561239.tif 000004
【図４】
0003561239.tif 000005